【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
可変容量ダイオードを用いてＤＣ調光制御電圧に基づく発振周波数を決める発振制御回路と、
ハーフブリッジ回路又はフルブリッジ回路に接続したＬ−Ｃ直列共振回路と、
両端にフィラメントがそれぞれ配置された熱陰極型放電灯と、
２つの上記フィラメントの一端にそれぞれ接続され、上記発振周波数に基づいてフィラメント電流を決める負荷コンデンサとを備え、
上記Ｌ−Ｃ直列共振回路は、２つの上記フィラメントの他端にそれぞれ接続され、上記発振周波数に基づいて上記熱陰極型放電灯の管電圧を決める共振コンデンサを有し、
上記発振制御回路は、上記可変容量ダイオードを含む２以上の発振コンデンサのうち、いずれかに流入する電流のＯＮ／ＯＦＦを切り替えることによって、上記発振周波数を変化させ、調光動作において、上記ＤＣ調光制御電圧を変更することにより上記発振周波数を変化させ、上記熱陰極型放電灯の管電流を減少させるとともに上記フィラメント電流を増加させることを特徴とする放電灯点灯装置。
【請求項２】
１００〜３００Ｈｚの周波数で上記熱陰極型放電灯の管電流のＯＮ／ＯＦＦを切り替えることにより、上記熱陰極型放電灯のＰＷＭ調光を行うことを特徴とする請求項１に記載の放電灯点灯装置。
【請求項３】
外部から供給される電源電圧の立ち上がり時の上記発振周波数を高くすることを特徴とする請求項１に記載の放電灯点灯装置。
【請求項４】
上記熱陰極型放電灯の点灯前後において上記発振周波数を緩やかに変化させる周波数スムージング回路を備えることを特徴とする請求項１に記載の放電灯点灯装置。
【請求項５】
上記熱陰極型放電灯の管電圧に基づいて、２つの上記フィラメントへの電力の供給を停止させる過電圧保護回路と、
上記熱陰極型放電灯の低圧側フィラメントの抵抗値に基づいて、２つの上記フィラメントへの電力の供給を停止させるバイアス電圧検出回路と、
上記管電流及び上記フィラメント電流に基づいて、２つの上記フィラメントへの電力の供給を停止させる過電流保護回路と、
２つの上記フィラメントのいずれかが断線したときに発生する高周波ノイズ成分に基づいて、２つの上記フィラメントへの電力の供給を停止させるリーク電流保護回路とを備えることを特徴とする請求項１から４のいずれかに記載の放電灯点灯装置。
【請求項６】
上記共振コンデンサが、流入する電流のＯＮ／ＯＦＦを切り替え可能なコンデンサを含む２以上のコンデンサを並列接続して構成されることを特徴とする請求項１から４のいずれかに記載の放電灯点灯装置。
【請求項７】
上記負荷コンデンサが、流入する電流のＯＮ／ＯＦＦを切り替え可能なコンデンサを含む２以上のコンデンサを並列接続して構成されることを特徴とする請求項１から４のいずれかに記載の放電灯点灯装置。
【請求項８】
２以上の上記Ｌ−Ｃ直列共振回路を備え、各上記Ｌ−Ｃ直列共振回路にそれぞれ異なる上記熱陰極型放電灯が接続されることを特徴とする請求項１に記載の放電灯点灯装置。
【手続補正２】
【補正対象書類名】明細書
【補正対象項目名】０００６
【補正方法】変更
【補正の内容】
【０００６】
第１の本発明による放電灯点灯装置は、前記目的を達成するために可変容量ダイオードを用いてＤＣ調光制御電圧に基づく発振周波数を決める発振制御回路と、ハーフブリッジ回路又はフルブリッジ回路に接続したＬ−Ｃ直列共振回路と、両端にフィラメントがそれぞれ配置された熱陰極型放電灯と、２つの上記フィラメントの一端にそれぞれ接続され、上記発振周波数に基づいてフィラメント電流を決める負荷コンデンサとを備え、上記Ｌ−Ｃ直列共振回路は、２つの上記フィラメントの他端にそれぞれ接続され、上記発振周波数に基づいて上記熱陰極型放電灯の管電圧を決める共振コンデンサを有し、上記発振制御回路は、上記可変容量ダイオードを含む２以上の発振コンデンサのうち、いずれかに流入する電流のＯＮ／ＯＦＦを切り替えることによって、上記発振周波数を変化させ、調光動作において、上記ＤＣ調光制御電圧を変更することにより上記発振周波数を変化させ、上記熱陰極型放電灯の管電流を減少させるとともに上記フィラメント電流を増加させることを特徴とする。
【手続補正３】
【補正対象書類名】明細書
【補正対象項目名】０００７
【補正方法】変更
【補正の内容】
【０００７】
この発明によれば、発振制御回路の周波数を決めるコンデンサに可変容量ダイオードを用いてＤＣ調光制御電圧で発振周波数を変えることで管電流の無段階調光を実現することができる。また、１コンバータ電源構成で熱陰極型放電灯の管電流とフィラメント電流を同時に可変し、調光時管電流が小さくなるにしたがいフィラメント電流を増加させてフィラメントの温度低下を防ぎ安定した放電を維持できる。このため、従来例の複数個のコンバータ電源構成とは異なりハーフブリッジ又はフルブリッジ回路にＬ−Ｃ直列共振回路を接続した１コンバータ電源の構成で無段階調光と調光時の安定した放電を維持できる。また、２以上の発振コンデンサのうち、いずれかに流入する電流のＯＮ／ＯＦＦを切り替えることによって、予熱電流を任意に設定することができ放電灯の高寿命化と安定点灯動作を実現できる熱陰極型放電灯点灯装置を提供できる。
【手続補正４】
【補正対象書類名】明細書
【補正対象項目名】０００８
【補正方法】変更
【補正の内容】
【０００８】
第２の本発明による放電灯点灯装置は、上記構成に加えて、１００〜３００Ｈｚの周波数で上記熱陰極型放電灯の管電流のＯＮ／ＯＦＦを切り替えることにより、上記熱陰極型放電灯のＰＷＭ調光を行うことを特徴とする。
【手続補正５】
【補正対象書類名】明細書
【補正対象項目名】０００９
【補正方法】変更
【補正の内容】
【０００９】
この発明によれば、ＰＷＭ調光とＤＣ制御調光とを併用することにより幅広い調光範囲の確保と調光での安定放電動作を維持できる熱陰極型放電灯点灯装置を提供できる。例えば、１００〜３００Ｈｚ程度の低い周波数でコンデンサ容量を入り切り動作させ、このＯＮ／ＯＦＦの時間比を制御することによってＰＷＭ調光を実現できる。
【手続補正６】
【補正対象書類名】明細書
【補正対象項目名】００１０
【補正方法】変更
【補正の内容】
【００１０】
第３の本発明による放電灯点灯装置は、上記構成に加えて、外部から供給される電源電圧の立ち上がり時の上記発振周波数を高くすることを特徴とする。
【手続補正７】
【補正対象書類名】明細書
【補正対象項目名】００１１
【補正方法】変更
【補正の内容】
【００１１】
この発明によれば、電源電圧の立ち上がり時の発振周波数を高くすることにより熱陰極型放電灯の管電圧のオーバーシュート電圧を抑制することができる。特に、発振コンデンサをトランジスタでスイッチングすることで容易にＬ−Ｃ直列共振回路の立ち上がり時の管電圧およびフィラメント電流の立ち上がり波形のオーバーシュートを抑制できる熱陰極型放電灯点灯装置を提供できる。例えば、外部から供給する電源電圧の立ち上がり部を検出してその立ち上がり部の数ｍ秒の期間のみ発振周波数を高くする。
【手続補正８】
【補正対象書類名】明細書
【補正対象項目名】００１２
【補正方法】変更
【補正の内容】
【００１２】
第４の本発明による放電灯点灯装置は、上記構成に加えて、上記熱陰極型放電灯の点灯前後において上記発振周波数を緩やかに変化させる周波数スムージング回路を備えることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
第５の本発明による放電灯点灯装置は、上記構成に加えて、上記熱陰極型放電灯の管電圧に基づいて、２つの上記フィラメントへの電力の供給を停止させる過電圧保護回路と、上記熱陰極型放電灯の低圧側フィラメントの抵抗値に基づいて、２つの上記フィラメントへの電力の供給を停止させるバイアス電圧検出回路と、上記管電流及び上記フィラメント電流に基づいて、２つの上記フィラメントへの電力の供給を停止させる過電流保護回路と、２つの上記フィラメントのいずれかが断線したときに発生する高周波ノイズ成分に基づいて、２つの上記フィラメントへの電力の供給を停止させるリーク電流保護回路とを備えることを特徴とする。
【手続補正１２】
【補正対象書類名】明細書
【補正対象項目名】００１８
【補正方法】変更
【補正の内容】
【００１８】
第６の本発明による放電灯点灯装置は、上記構成に加えて、上記共振コンデンサが、流入する電流のＯＮ／ＯＦＦを切り替え可能なコンデンサを含む２以上のコンデンサを並列接続して構成されることを特徴とする。
【手続補正１３】
【補正対象書類名】明細書
【補正対象項目名】００２０
【補正方法】変更
【補正の内容】
【００２０】
第７の本発明による放電灯点灯装置は、上記構成に加えて、上記負荷コンデンサが、流入する電流のＯＮ／ＯＦＦを切り替え可能なコンデンサを含む２以上のコンデンサを並列接続して構成されることを特徴とする。
【手続補正１４】
【補正対象書類名】明細書
【補正対象項目名】００２２
【補正方法】変更
【補正の内容】
【００２２】
第８の本発明による放電灯点灯装置は、上記構成に加えて、２以上の上記Ｌ−Ｃ直列共振回路を備え、各上記Ｌ−Ｃ直列共振回路にそれぞれ異なる上記熱陰極型放電灯が接続されることを特徴とする。
【手続補正１５】
【補正対象書類名】明細書
【補正対象項目名】００２３
【補正方法】変更
【補正の内容】
【００２３】
この発明によれば、直列Ｌ−Ｃ共振回路と放電灯を多段並列接続した放電灯装置を実現提供することができる。